(57)【要約】【課題】表示装置において、駆動回路用ＩＣのチップ面積の増大を抑えつつ、３原色のそれぞれの階調再現性に応じた階調電圧を使用することにより色再現性を向上させる。【解決手段】液晶表示装置の映像信号線を切換制御信号Ｇｒ，Ｇｇ，Ｇｂに基づき時分割的に駆動する映像信号線駆動回路で使用される階調電圧発生回路において、階調電圧群Ｖ０〜Ｖ６３を生成するための分圧回路３６０の一端と電圧ＶＨを供給する電源ラインとの間に第１の可変抵抗回路３６１を、分圧回路３６０の他端と電圧ＶＬを供給する電源ラインとの間に第２の可変抵抗回路３６２をそれぞれ接続する。これらの可変抵抗回路３６１、３６２は、その抵抗値を切換制御信号Ｇｒ，Ｇｇ，Ｇｂに基づき切り換える。これによりＲ、Ｇ及びＢ画素形成部にそれぞれ接続される映像信号線が駆動される期間では、それぞれＲ、Ｇ及びＢの階調再現性に応じた階調電圧が出力される。【選択図】  図６
2004325716.tif 000002
【特許請求の範囲】
【請求項１】
３原色を構成する第１、第２および第３の色の階調をそれぞれ示す第１、第２および第３色画像信号からなる入力信号に基づき、複数の画素形成部に与えるべき複数の電圧信号を生成するカラー画像表示用の駆動回路であって、
異なる階調を示す複数の電圧からなる階調電圧群を出力する階調電圧発生回路と、
前記階調電圧群における複数の電圧の中から前記入力信号に応じていずれかの電圧を選択する複数の選択回路と、
前記複数の選択回路によってそれぞれ選択される複数の電圧を前記複数の電圧信号として出力する出力回路とを備え、
前記複数の選択回路は、前記第１色画像信号に応じて電圧が選択される第１の期間と、前記第２色画像信号に応じて電圧が選択される第２の期間と、前記第３色画像信号に応じて電圧が選択される第３の期間とを順次切り換え、
前記階調電圧発生回路は、前記第１の期間と前記第２の期間と前記第３の期間の間での切り換えに連動して、かつ前記複数の画素形成部における階調再現性についての前記第１の色と前記第２の色と前記第３の色の間での相違に応じて、前記階調電圧群を構成する一部または全ての電圧を変更することを特徴とする駆動回路。
【請求項２】
前記階調電圧発生回路は、
前記第１の色の異なる階調を示す複数の電圧を生成する第１の分圧回路と、
前記第２の色の異なる階調を示す複数の電圧を生成する第２の分圧回路と、
前記第３の色の異なる階調を示す複数の電圧を生成する第３の分圧回路と、
前記第１の期間には前記第１の分圧回路によって生成される複数の電圧を選択し、前記第２の期間には前記第２の分圧回路によって生成される複数の電圧を選択し、前記第３の期間には前記第３の分圧回路によって生成される複数の電圧を選択するセレクタ回路とを含み、
前記セレクタ回路によって選択される複数の電圧を前記階調電圧群として出力することを特徴とする、請求項１に記載の駆動回路。
【請求項３】
前記階調電圧発生回路は、
複数の電圧を生成するための分圧回路と、
前記分圧回路の一端側に接続された第１の可変抵抗回路と、
前記分圧回路の他端側に接続された第２の可変抵抗回路とを含み、
前記第１の可変抵抗回路は、その抵抗値が、前記第１、第２および第３の色にそれぞれ対応する値として予め設定された第１、第２および第３の値のうち、前記第１の期間には第１の値となり、前記第２の期間には第２の値となり、前記第３の期間には第３の値となるように、その抵抗値を切り換える第１の切換スイッチを含み、
前記第２の可変抵抗回路は、その抵抗値が、前記第１、第２および第３の色にそれぞれ対応する値として予め設定された第４、第５および第６の値のうち、前記第１の期間には第４の値となり、前記第２の期間には第５の値となり、前記第３の期間には第６の値となるように、その抵抗値を切り換える第２の切換スイッチを含み、
前記階調電圧発生回路は、前記分圧回路によって生成される前記複数の電圧を前記階調電圧群として出力することを特徴とする、請求項１に記載の駆動回路。
【請求項４】
請求項１から３までのいずれか１項に記載の駆動回路を備えることを特徴とする表示装置。
【請求項５】
前記複数の電圧信号を前記複数の画素形成部に伝達する複数の映像信号線と、
前記複数の電圧信号のそれぞれが前記複数の映像信号線のいずれかに印加されるように前記出力回路と前記複数の映像信号線とを接続し、かつ、各電圧信号が印加される映像信号線を所定の映像信号線群の中で切り換える接続切換回路とを更に備え、
前記出力回路は、前記複数の画素形成部における第１、第２および第３の色の画素形成部に電圧信号をそれぞれ伝達する第１、第２および第３の色用の映像信号線からなる３本の映像信号線を１組として前記複数の映像信号線をグループ化することにより得られる複数組の映像信号線群にそれぞれ対応する複数の出力端子を有し、
前記接続切換回路は、前記出力回路の各出力端子を、対応する３本の映像信号線のうち、前記第１の期間には前記第１の色用の映像信号線に接続し、前記第２の期間には前記第２の色用の映像信号線に接続し、前記第３の期間には前記第３の色用の映像信号線に接続することを特徴とする、請求項４に記載の表示装置。
【請求項６】
前記複数の映像信号線と交差する複数の走査信号線と、
前記複数の走査信号線を選択的に駆動する走査信号線駆動回路とを更に備え、
前記複数の画素形成部は、前記複数の映像信号線と前記複数の走査信号線との交差点にそれぞれ対応してマトリクス状に配置されており、
各画素形成部は、
対応する交差点を通過する走査信号線によってオンおよびオフされるスイッチング素子と、
対応する交差点を通過する映像信号線に前記スイッチング素子を介して接続される画素電極と、
前記複数の画素形成部に共通的に設けられ、前記画素電極との間に所定容量が形成されるように配置された共通電極とを含み、
前記複数の選択回路は、前記走査信号線駆動回路によって１つの走査信号線が選択されてから次に他の走査信号線が選択されるまでの期間が前記第１、第２および第３の期間に分割されるように、前記第１の期間と前記第２の期間と前記第３の期間とを切り換えることを特徴とする、請求項５に記載の表示装置。
【請求項７】
３原色を構成する第１、第２および第３の色の階調をそれぞれ示す第１、第２および第３色画像信号からなる入力信号に基づき、複数の画素形成部に与えるべき複数の電圧信号を生成するカラー画像表示のための駆動方法であって、
異なる階調を示す複数の電圧からなる階調電圧群を出力する階調電圧発生ステップと、
前記階調電圧群における複数の電圧の中から前記入力信号に応じていずれかの電圧を選択する選択ステップと、
前記選択ステップを並列に実行することによって選択される複数の電圧を前記複数の電圧信号として出力する出力ステップとを備え、
前記選択ステップでは、前記第１色画像信号に応じて電圧が選択される第１の期間と、前記第２色画像信号に応じて電圧が選択される第２の期間と、前記第３色画像信号に応じて電圧が選択される第３の期間とが順次切り換えられ、
前記階調電圧発生ステップでは、前記第１の期間と前記第２の期間と前記第３の期間の間での切り換えに連動して、かつ前記複数の画素形成部における階調再現性についての前記第１の色と前記第２の色と前記第３の色の間での相違に応じて、前記階調電圧群を構成する一部または全ての電圧が変更されることを特徴とする駆動方法。
【発明の詳細な説明】
【０００１】
【発明の属する技術分野】
本発明は、カラー画像を表示する表示装置に関するものであり、更に詳しくは、画像の各階調を示す電圧からなる階調電圧群を生成し、その階調電圧群から入力信号に応じて選択される電圧を使用してカラー画像を表示する表示装置や、そのような表示装置の駆動回路に関する。
【０００２】
【従来の技術】
例えば液晶表示装置では、階調表示を行うために各階調を示す電圧を生成する階調電圧発生回路が内蔵されており、この階調電圧発生回路で生成された複数の電圧のいずれかが入力信号に応じて選択され、選択された電圧が駆動信号として液晶パネルに印加されることにより中間調の画像が表示される。
【０００３】
このような階調表示のための階調電圧発生回路は、通常、液晶パネルを駆動する映像信号線駆動回路（「列電極駆動回路」とも呼ばれる）に内蔵されており、直列に接続された複数の抵抗からなる抵抗列である分圧回路として実現されている。そして各階調電圧は、このような分圧回路における分圧比によって決定され、この分圧比の設定は表示品位を決定する上で重要である。
【０００４】
【特許文献１】
特開平５−１９７２５号公報
【特許文献２】
特開２００２−８２６４５号公報
【特許文献３】
特開２００１−１００７１１号公報
【０００５】
【発明が解決しようとする課題】
一般に液晶表示装置においてカラー画像表示のために使用されるカラーフィルタは、３原色を構成するＲ（赤）、Ｇ（緑）、Ｂ（青）の３色のフィルタからなるが、図９に示すように、これらの３色の間で階調レベル−輝度特性が若干異なっている。これは、液晶パネルを構成する画素形成部における階調再現性が上記３色の間で相違することを意味する。なお、この図９において、横軸は入力信号により示されるＲＧＢの各色の階調レベルを示し、縦軸は液晶パネルにおけるＲＧＢの各色の輝度を示している。ただし、縦軸で示される輝度は最大値で正規化された値である。
【０００６】
上記のように階調レベル−輝度特性はＲＧＢの３色の間で若干異なっているが、従来の液晶表示装置における階調電圧発生回路は、１つの抵抗列または正極性用と負極性用の２つの抵抗列しか備えていない（以下では、説明の便宜のため、正極性用抵抗列と負極性用抵抗列とを備えている場合であっても片方の抵抗列のみを考えるものとする）。そのため、ＲＧＢの各色についての階調レベル−輝度特性に応じて階調電圧（または分圧比）を個別に設定することはできなかった。その結果、輝度の全範囲に亘ってカラーバランスを良好に保つことができず、高い色再現性を得ることができなかった。また、通常の液晶表示装置では、ＲＧＢの各色についての階調レベル−輝度特性に対応すべく３つの抵抗列を設けた場合には、階調電圧を伝達するための電圧バスラインが従来の３倍（階調数×３本）必要となり、映像信号線駆動回路を実現するためのＩＣ（Ｉｎｔｅｇｒａｔｄ  Ｃｉｒｃｕｉｔ）のチップ面積が大幅に増大する。
【０００７】
そこで本発明では、駆動回路を実現するためのＩＣのチップ面積の増大を抑えつつ、３原色のそれぞれの階調レベル−輝度特性（階調再現性）に応じた階調電圧を使用することにより色再現性を向上させた表示装置や、そのような表示装置の駆動回路を提供することを目的とする。
【０００８】
【課題を解決するための手段】
第１の発明は、３原色を構成する第１、第２および第３の色の階調をそれぞれ示す第１、第２および第３色画像信号からなる入力信号に基づき、複数の画素形成部に与えるべき複数の電圧信号を生成するカラー画像表示用の駆動回路であって、
異なる階調を示す複数の電圧からなる階調電圧群を出力する階調電圧発生回路と、
前記階調電圧群における複数の電圧の中から前記入力信号に応じていずれかの電圧を選択する複数の選択回路と、
前記複数の選択回路によってそれぞれ選択される複数の電圧を前記複数の電圧信号として出力する出力回路とを備え、
前記複数の選択回路は、前記第１色画像信号に応じて電圧が選択される第１の期間と、前記第２色画像信号に応じて電圧が選択される第２の期間と、前記第３色画像信号に応じて電圧が選択される第３の期間とを順次切り換え、
前記階調電圧発生回路は、前記第１の期間と前記第２の期間と前記第３の期間の間での切り換えに連動して、かつ前記複数の画素形成部における階調再現性についての前記第１の色と前記第２の色と前記第３の色の間での相違に応じて、前記階調電圧群を構成する一部または全ての電圧を変更することを特徴とする。
【０００９】
このような第１の発明によれば、第１色画像信号に応じて電圧が選択される第１の期間と、第２色画像信号に応じて電圧が選択される第２の期間と、第３色画像信号に応じて電圧が選択される第３の期間とが順次切り換えられ、これらの期間の切換に連動して、かつ複数の画素形成部における階調再現性についての第１〜第３の色の間での相違に応じて、階調電圧群を構成する一部または全ての電圧が変更される。このため、階調電圧群を複数の選択回路に伝達するための電圧バスラインを増やすことなく、３原色のそれぞれの階調再現性に応じた階調電圧を使用してカラー画像を表示することができる。
【００１０】
第２の発明は、第１の発明において、
前記階調電圧発生回路は、
前記第１の色の異なる階調を示す複数の電圧を生成する第１の分圧回路と、
前記第２の色の異なる階調を示す複数の電圧を生成する第２の分圧回路と、
前記第３の色の異なる階調を示す複数の電圧を生成する第３の分圧回路と、
前記第１の期間には前記第１の分圧回路によって生成される複数の電圧を選択し、前記第２の期間には前記第２の分圧回路によって生成される複数の電圧を選択し、前記第３の期間には前記第３の分圧回路によって生成される複数の電圧を選択するセレクタ回路とを含み、
前記セレクタ回路によって選択される複数の電圧を前記階調電圧群として出力することを特徴とする。
【００１１】
第２の発明によれば、階調電圧発生回路は、第１〜第３の色にそれぞれ対応する第１〜第３の分圧回路を含み、第１の期間には第１の分圧回路で生成される電圧群を、第２の期間には第２の分圧回路で生成される電圧群を、第３の期間には第３の分圧回路で生成される電圧群を、階調電圧群として出力する。これにより、第１の期間と第２の期間と第３の期間の間での切り換えに連動し、かつ複数の画素形成部における階調再現性についての第１〜第３の色の間での相違に応じて、出力される階調電圧群における電圧が変更される。
【００１２】
第３の発明は、第１の発明において、
前記階調電圧発生回路は、
複数の電圧を生成するための分圧回路と、
前記分圧回路の一端側に接続された第１の可変抵抗回路と、
前記分圧回路の他端側に接続された第２の可変抵抗回路とを含み、
前記第１の可変抵抗回路は、その抵抗値が、前記第１、第２および第３の色にそれぞれ対応する値として予め設定された第１、第２および第３の値のうち、前記第１の期間には第１の値となり、前記第２の期間には第２の値となり、前記第３の期間には第３の値となるように、その抵抗値を切り換える第１の切換スイッチを含み、
前記第２の可変抵抗回路は、その抵抗値が、前記第１、第２および第３の色にそれぞれ対応する値として予め設定された第４、第５および第６の値のうち、前記第１の期間には第４の値となり、前記第２の期間には第５の値となり、前記第３の期間には第６の値となるように、その抵抗値を切り換える第２の切換スイッチを含み、
前記階調電圧発生回路は、前記分圧回路によって生成される前記複数の電圧を前記階調電圧群として出力することを特徴とする。
【００１３】
第３の発明によれば、階調電圧発生回路において階調電圧群を生成するための分圧回路の両端にそれぞれ接続される第１および第２の可変抵抗回路の抵抗値が、第１の期間には第１の色に対応する値となり、第２の期間には第２の色に対応する値となり、第３の期間には第３の色に対応する値となる。これにより、第１の期間と第２の期間と第３の期間の間での切り換えに連動し、かつ複数の画素形成部における階調再現性についての第１〜第３の色の間での相違に応じて、出力される階調電圧群における電圧が変更される。
【００１４】
第４の発明は、表示装置であって、第１から第３の発明のいずれかの発明に係る駆動回路を備えたことを特徴とする。
【００１５】
第５の発明は、第４の発明において、
前記複数の電圧信号を前記複数の画素形成部に伝達する複数の映像信号線と、
前記複数の電圧信号のそれぞれが前記複数の映像信号線のいずれかに印加されるように前記出力回路と前記複数の映像信号線とを接続し、かつ、各電圧信号が印加される映像信号線を所定の映像信号線群の中で切り換える接続切換回路とを更に備え、
前記出力回路は、前記複数の画素形成部における第１、第２および第３の色の画素形成部に電圧信号をそれぞれ伝達する第１、第２および第３の色用の映像信号線からなる３本の映像信号線を１組として前記複数の映像信号線をグループ化することにより得られる複数組の映像信号線群にそれぞれ対応する複数の出力端子を有し、
前記接続切換回路は、前記出力回路の各出力端子を、対応する３本の映像信号線のうち、前記第１の期間には前記第１の色用の映像信号線に接続し、前記第２の期間には前記第２の色用の映像信号線に接続し、前記第３の期間には前記第３の色用の映像信号線に接続することを特徴とする。
【００１６】
第５の発明によれば、出力回路の各出力端子が、対応する３本の映像信号線である第１、第２および第３の色用の映像信号線に時分割的に接続され、映像信号線が時分割的に駆動される。そして、この映像信号線の時分割駆動に連動し、かつ複数の画素形成部における階調再現性についての第１〜第３の色の間での相違に応じて、階調電圧群における電圧が変更される。これにより、階調電圧群を伝達するための電圧バスラインを増やすことなく、３原色のそれぞれの階調再現性に応じた階調電圧を使用してカラー画像が表示される。
【００１７】
第６の発明は、第５の発明において、
前記複数の映像信号線と交差する複数の走査信号線と、
前記複数の走査信号線を選択的に駆動する走査信号線駆動回路とを更に備え、
前記複数の画素形成部は、前記複数の映像信号線と前記複数の走査信号線との交差点にそれぞれ対応してマトリクス状に配置されており、
各画素形成部は、
対応する交差点を通過する走査信号線によってオンおよびオフされるスイッチング素子と、
対応する交差点を通過する映像信号線に前記スイッチング素子を介して接続される画素電極と、
前記複数の画素形成部に共通的に設けられ、前記画素電極との間に所定容量が形成されるように配置された共通電極とを含み、
前記複数の選択回路は、前記走査信号線駆動回路によって１つの走査信号線が選択されてから次に他の走査信号線が選択されるまでの期間が前記第１、第２および第３の期間に分割されるように、前記第１の期間と前記第２の期間と前記第３の期間とを切り換えることを特徴とする。
【００１８】
第６の発明によれば、前記走査信号線駆動回路によって１つの走査信号線が選択されてから次に他の走査信号線が選択されるまでの期間（１水平走査期間）が第１、第２および第３の期間に分割され、これら第１〜第３の期間の間での切り換えに連動して、かつ、複数の画素形成部における階調再現性についての第１〜第３の色の間での相違に応じて、階調電圧群における電圧が変更される。これにより、階調電圧群を伝達するための電圧バスラインを増やすことなく、３原色のそれぞれの階調再現性に応じた階調電圧を使用してカラー画像が表示される。
【００１９】
第７の発明は、３原色を構成する第１、第２および第３の色の階調をそれぞれ示す第１、第２および第３色画像信号からなる入力信号に基づき、複数の画素形成部に与えるべき複数の電圧信号を生成するカラー画像表示のための駆動方法であって、
異なる階調を示す複数の電圧からなる階調電圧群を出力する階調電圧発生ステップと、
前記階調電圧群における複数の電圧の中から前記入力信号に応じていずれかの電圧を選択する選択ステップと、
前記選択ステップを並列に実行することによって選択される複数の電圧を前記複数の電圧信号として出力する出力ステップとを備え、
前記選択ステップでは、前記第１色画像信号に応じて電圧が選択される第１の期間と、前記第２色画像信号に応じて電圧が選択される第２の期間と、前記第３色画像信号に応じて電圧が選択される第３の期間とが順次切り換えられ、
前記階調電圧発生ステップでは、前記第１の期間と前記第２の期間と前記第３の期間の間での切り換えに連動して、かつ前記複数の画素形成部における階調再現性についての前記第１の色と前記第２の色と前記第３の色の間での相違に応じて、前記階調電圧群を構成する一部または全ての電圧が変更されることを特徴とする。
【００２０】
【発明の実施の形態】
近年、ＬＰＳ（Ｌｏｗ  Ｔｅｍｐｅｒａｔｕｒｅ  Ｐｏｌｙ  Ｓｉｌｉｃｏｎ：低温ポリシリコン）ＴＦＴ（Ｔｈｉｎ  Ｆｉｌｍ  Ｔｒａｎｓｉｓｔｏｒ）や、ＣＧＳ（Ｃｏｎｔｉｎｕｏｕｓ  Ｇｒａｉｎ  Ｓｉｌｉｃｏｎ：連続粒界結晶シリコン）ＴＦＴという移動度の高いＴＦＴを使用した液晶パネルが製造されるようになり、画素形成部におけるＴＦＴのオン時間が短くても画素容量を十分に充電できるようになってきている。このような液晶パネルでは、そのパネル内に切換スイッチを設けることにより、映像信号線駆動回路における１つの出力で液晶パネルにおける複数の映像信号線を駆動することが可能となる。このような構成の液晶表示装置は従来より提案されている。すなわち、２本以上の映像信号線（例えばＲ，Ｇ，Ｂの隣接３画素に対応する３本の映像信号線）を１組として映像信号線をグループ化し、各組を構成する複数の映像信号線に映像信号線駆動回路の１つの出力端子を割り当て、画像表示における１水平走査期間内において各組内の映像信号線に時分割的に映像信号を印加するように構成されたアクティブマトリクス型の液晶表示装置が提案されている（例えば特開平６−１３８８５１号公報参照）。
【００２１】
このような方式（以下「映像信号線時分割駆動方式」という）のアクティブマトリクス型液晶表示装置では、例えば１水平走査期間を、Ｒの画素に対応する映像信号線を駆動する期間と、Ｇの画素に対応する映像信号線を駆動する期間と、Ｂの画素に対応する映像信号線を駆動する期間とに分割し、それらの期間毎に階調電圧を変更（補正）することが可能となる。すなわち、映像信号線時分割駆動方式を採用した場合には、そのための駆動期間の切換に連動して階調電圧を変更することにより、階調電圧伝達用の電圧バスラインの数を増やすことなく、ＲＧＢの各色についての階調レベル−輝度特性（階調再現性）に対応した階調電圧を提供することができ、これにより、カラー画像表示における色再現性を向上させることが可能となる。
【００２２】
以下、このような考え方に基づく液晶表示装置における映像信号線駆動回路を、本発明の実施形態として添付図面を参照しつつ説明する。
【００２３】
＜１．１  全体の構成および動作＞
図１（ａ）は、本発明の一実施形態に係るカラー画像表示用の映像信号線駆動回路を備えた液晶表示装置の構成を示すブロック図である。この液晶表示装置は、表示制御回路２００と、映像信号線駆動回路（「列電極駆動回路」とも呼ばれる）３００と、走査信号線駆動回路（「行電極駆動回路」とも呼ばれる）４００と、アクティブマトリクス型の液晶パネル５００とを備えている。
【００２４】
この液晶表示装置における表示部としての液晶パネル５００は、外部のコンピュータにおけるＣＰＵ等から受け取る画像データＤｖの表す画像における水平走査線にそれぞれが対応する複数本の走査信号線（行電極）と、それら複数本の走査信号線のそれぞれと交差する複数本の映像信号線（列電極）と、それら複数本の走査信号線と複数本の映像信号線との交差点にそれぞれ対応して設けられた複数の画素形成部とを含む。各画素形成部の構成は、基本的には従来のアクティブマトリクス型液晶パネルにおける構成と同様である（詳細は後述）。
【００２５】
本実施形態では、液晶パネル５００に表示すべき画像を表す（狭義の）画像データおよび表示動作のタイミング等を決めるデータ（例えば表示用クロックの周波数を示すデータ）（以下「表示制御データ」という）は、外部のコンピュータにおけるＣＰＵ等から表示制御回路２００に送られる（以下、外部から送られるこれらのデータＤｖを「広義の画像データ」という）。すなわち、外部のＣＰＵ等は、広義の画像データＤｖを構成する（狭義の）画像データおよび表示制御データを、アドレス信号ＡＤｗを表示制御回路２００に供給して、表示制御回路２００内の後述の表示メモリおよびレジスタにそれぞれ書き込む。
【００２６】
表示制御回路２００は、レジスタに書き込まれた表示制御データに基づき、表示用のクロック信号ＣＫや、水平同期信号ＨＳＹ、垂直同期信号ＶＳＹ、スタートパルス信号ＳＰ、ラッチストローブ信号ＬＳを生成する。また、表示制御回路２００は、外部のＣＰＵ等によって表示メモリに書き込まれた画像データを読み出して、デジタル画像信号Ｄａとして出力する。このデジタル画像信号Ｄａは、赤色の階調を示す画像信号Ｄｒと、緑色の階調を示す画像信号Ｄｇと、青色の階調を示す画像信号Ｄｂという３種類のデジタル画像信号Ｄｒ，Ｄｇ，Ｄｂからなり、これらのデジタル画像信号Ｄｒ，Ｄｇ，Ｄｂは、後述のように時分割で出力される。ここで、デジタル画像信号Ｄｒは、表示すべき画像の赤色成分を表す画像信号（以下「赤色画像信号」という）であり、デジタル画像信号Ｄｇは、表示すべき画像の緑色成分を表す画像信号（以下「緑色画像信号」という）であり、デジタル画像信号Ｄｂは、表示すべき画像の青色成分を表す画像信号（以下「青色画像信号」という）である。さらにまた、表示制御回路２００は、映像信号線の時分割駆動のための切換制御信号Ｇｒ，Ｇｇ，Ｇｂを生成する。このようにして、表示制御回路２００によって生成される信号のうち、クロック信号ＣＫ、スタートパルス信号ＳＰ、ラッチストローブ信号ＬＳ、およびデジタル画像信号Ｄａは映像信号線駆動回路３００に、水平同期信号ＨＳＹおよび垂直同期信号ＶＳＹは走査信号線駆動回路４００に、切換制御信号Ｇｒ，Ｇｇ，Ｇｂは映像信号線駆動回路３００および液晶パネル５００内の後述の接続切換回路に、それぞれ供給される。なお以下では、画像表示の階調数を６４として説明するが、階調数はこれに限られるものではない。本実施形態のように階調数を６４とした場合、デジタル画像信号Ｄａは６ビットの信号となる。
【００２７】
映像信号線駆動回路３００には、上記のようにして、液晶パネル５００に表示すべき画像を表すデータが画素単位でデジタル画像信号Ｄａとして供給されると共に、タイミングを示す信号としてクロック信号ＣＫ、スタートパルス信号ＳＰ、ラッチストローブ信号ＬＳ、および切換制御信号Ｇｒ，Ｇｇ，Ｇｂが供給される。映像信号線駆動回路３００は、これらの信号ＣＫ，ＳＰ，ＬＳ，Ｇｒ，Ｇｇ，Ｇｂに基づき、液晶パネル５００を駆動するための映像信号（以下「駆動用映像信号」ともいう）を生成し、これを液晶パネル５００の各映像信号線に印加する。
【００２８】
走査信号線駆動回路４００は、水平同期信号ＨＳＹおよび垂直同期信号ＶＳＹに基づき、液晶パネル５００における走査信号線を１水平走査期間ずつ順次に選択するために各走査信号線に印加すべき走査信号Ｇ１，Ｇ２、Ｇ３，…を生成し（図４（ａ）〜（ｃ）参照）、全走査信号線のそれぞれを順に選択するためのアクティブな走査信号の各走査信号線への印加を１垂直走査期間を周期として繰り返す。
【００２９】
上記のように液晶パネル５００において、映像信号線には、デジタル画像信号Ｄａに基づく駆動用の映像信号Ｓ１，Ｓ２，Ｓ３，…が映像信号線駆動回路３００によって印加され、走査信号線には、走査信号Ｇ１，Ｇ２，Ｇ３，…が走査信号線駆動回路４００によって印加される。これにより液晶パネル５００は、外部のＣＰＵ等から受け取った画像データＤｖの表すカラー画像を表示する。
【００３０】
＜１．２  表示制御回路＞
図１（ｂ）は、上記の液晶表示装置における表示制御回路２００の構成を示すブロック図である。この表示制御回路２００は、入力制御回路２０と、表示メモリ２１と、レジスタ２２と、タイミング発生回路２３と、メモリ制御回路２４と、信号線切換制御回路２５とを備えている。
【００３１】
この表示制御回路２００が外部のＣＰＵ等から受け取る広義の画像データＤｖを示す信号（以下、この信号も符号“Ｄｖ”で表すものとする）およびアドレス信号ＡＤｗは、入力制御回路２０に入力される。入力制御回路２０は、アドレス信号ＡＤｗに基づき、広義の画像データＤｖを、３種類のカラー画像データＲｄ，Ｇｄ，Ｂｄと表示制御データＤｃとに振り分ける。そして、カラー画像データＲｄ，Ｇｄ，Ｂｄを表す信号（以下、これらの信号も符号“Ｒｄ”，“Ｇｄ”，“Ｂｄ”で表すものとする）をアドレス信号ＡＤｗに基づくアドレス信号ＡＤと共に表示メモリ２１に供給することで、３種類の画像データＲｄ，Ｇｄ，Ｂｄを表示メモリ２１に書き込むと共に、表示制御データＤｃをレジスタ２２に書き込む。ここで、３種類の画像データＲｄ，Ｇｄ，Ｂｄは、画像データＤｖの表す画像の赤色成分、緑色成分、青色成分をそれぞれ表すデータである。表示制御データＤｃは、クロック信号ＣＫの周波数や画像データＤｖの表す画像を表示するための水平走査期間および垂直走査期間を指定するタイミング情報を含んでいる。
【００３２】
タイミング発生回路（以下「ＴＧ」と略記する）２３は、レジスタ２２の保持する上記表示制御データに基づき、クロック信号ＣＫ、水平同期信号ＨＳＹ、垂直同期信号ＶＳＹ、スタートパルス信号ＳＰ、およびラッチストローブ信号ＬＳを生成する。本実施形態では、映像信号線が時分割的に駆動され、映像信号線駆動回路３００の各出力端子からの駆動用映像信号が印加される映像信号線は、１水平走査期間の１／３の期間（以下「１／３水平走査期間」という）毎に切り換わる。これに対応して、映像信号線駆動回路３００に供給されるスタートパルス信号ＳＰおよびラッチストローブ信号ＬＳのパルス繰り返し周期も１／３水平走査期間となっている。また、ＴＧ２３は、表示メモリ２１およびメモリ制御回路２４をクロック信号ＣＫに同期させて動作させるためのタイミング信号を生成する。
【００３３】
信号線切換制御回路２５は、水平同期信号ＨＳＹおよびクロック信号ＣＫに基づき、映像信号線の時分割駆動のための切換制御信号Ｇｒ，Ｇｇ，Ｇｂを生成する。この切換制御信号Ｇｒ，Ｇｇ，Ｇｂは、映像信号線駆動回路３００からの駆動用映像信号を印加すべき映像信号線を１水平走査期間内で切り換えるための制御信号である。本実施形態では、図４（ｅ）〜（ｇ）に示すように、走査信号Ｇｉ（ｉ＝１，２，３，…）がアクティブとなる各水平走査期間の最初の１／３の期間である第１の期間でのみＨレベル（ハイレベル）となる信号が、第１の切換制御信号Ｇｒとして生成され、各水平走査期間の次の１／３の期間である第２の期間でのみＨレベルとなる信号が、第２の切換制御信号Ｇｂとして生成され、各水平走査期間の最後の１／３の期間である第３の期間でのみＨレベルとなる信号が、第３の切換制御信号Ｇｂとして生成される。これらの切換制御信号Ｇｒ，Ｇｇ，Ｇｂは、図４（ｄ）〜（ｇ）に示すように、ラッチストローブ信号ＬＳと同期した信号として生成される。
【００３４】
メモリ制御回路２４は、外部から入力されて表示メモリ２１に格納された画像データＲｄ，Ｇｄ，Ｂｄのうち、液晶パネル５００に表示すべき画像を表すデータを読み出すためのアドレス信号ＡＤｒと、表示メモリ２１の動作を制御するための信号とを生成する。これらのアドレス信号ＡＤｒおよび制御信号が表示メモリ２１に与えられることにより、液晶パネル５００に表示すべき画像の赤色成分、緑色成分、青色成分を表すデータがそれぞれ赤色画像信号Ｄｒ、緑色画像信号Ｄｇ、青色画像信号Ｄｂとして表示メモリ２１から時分割的に読み出される。すなわち、表示メモリ２１から読み出される画像信号は、切換制御信号Ｇｒ，Ｇｇ，Ｇｂに同期して、１／３水平走査期間毎に、赤色画像信号Ｄｒと緑色画像信号Ｄｇと青色画像信号Ｄｂとの間で切り換わる。そして、このように時分割的に読み出される３種類の画像信号Ｄｒ，Ｄｇ，Ｄｂは、画像信号Ｄａとして表示制御回路２００から出力され、映像信号線駆動回路３００に供給される。
【００３５】
＜１．３  液晶パネル＞
図２（ａ）は、本実施形態に係る映像信号線駆動回路３００を備えた液晶表示装置における液晶パネル５００構成を示す模式図であり、図２（ｂ）は、この液晶パネル５００の一部（４画素に相当する部分）５１０の等価回路図であり、図２（ｃ）は、この液晶パネル５００における接続切換回路５０１を構成する切換スイッチＳＷｊを示す等価回路図である。
【００３６】
この液晶パネル５００は、切換スイッチＳＷ１，ＳＷ２，ＳＷ３，…を含む接続切換回路５０１を介して映像信号線駆動回路３００に接続される複数の映像信号線Ｌｓ（Ｌｊｒ，Ｌｊｇ，Ｌｊｂ（ｊ＝１，２，３，…））と、走査信号線駆動回路４００に接続される複数の走査信号線Ｌｇとを備え、当該複数の映像信号線Ｌｓと当該複数の走査信号線Ｌｇとは、各映像信号線Ｌｓと各走査信号線Ｌｇとが交差するように格子状に配設されている。そして、当該複数の映像信号線Ｌｓと当該複数の走査信号線Ｌｇとの交差点に対応して複数の画素形成部Ｐｘがそれぞれ設けられている。各画素形成部Ｐｘは、図２（ｂ）に示すように、対応する交差点を通過する映像信号線Ｌｓにソース端子が接続されたＴＦＴ１０と、そのＴＦＴ１０のドレイン端子に接続された画素電極Ｅｐと、上記複数の画素形成部Ｐｘに共通的に設けられた共通電極Ｅｃと、上記複数の画素形成部Ｐｘに共通的に設けられて画素電極Ｅｐと共通電極Ｅｃとの間に挟持された液晶層とからなる。そして、画素電極Ｅｐと共通電極Ｅｃとそれらの間に挟持された液晶層とにより画素容量Ｃｐが形成さる。
【００３７】
上記のような画素形成部Ｐｘは、カラーフィルタによって、赤色の画素を形成するＲ画素形成部と、緑色の画素を形成するＧ画素形成部と、青色の画素を形成するＢ画素形成部とに分類される。そして、走査信号線Ｌｇの延びる方向に隣接するＲ画素形成部とＧ画素形成部とＢ画素形成部からなる３個の画素形成部が１つの表示単位としてマトリクス状に配置されて画素形成マトリクスを構成する。なお、画素形成部Ｐｘの主要部である画素電極Ｅｐは、液晶パネルに表示される画像の画素と１対１に対応し同一視できることから、「画素形成マトリクス」は「画素マトリクス」と呼ばれることもある。
【００３８】
この液晶パネル５００には、上記のように、各映像信号線Ｌｓを映像信号線駆動回路３００に接続するための回路として、液晶パネル５００上の映像信号線Ｌｓにそれぞれ対応する切換スイッチＳＷ１，ＳＷ２，ＳＷ３，…を含む接続切換回路５０１が形成されており（図２（ａ））、これらの切換スイッチＳＷ１，ＳＷ２，ＳＷ３，…は、映像信号線駆動回路３００の出力端子ＴＳ１，ＴＳ２，ＴＳ３，…にそれぞれ対応している。また、この液晶パネル５００における映像信号線Ｌｓは、各表示単位を構成するＲ画素形成部、Ｇ画素形成部、Ｂ画素形成部に駆動用映像信号をそれぞれ供給すべき３本の映像信号線Ｌｊｒ，Ｌｊｇ，Ｌｊｂを１組として複数組の映像信号線群にグループ化され、それら複数組の映像信号線群は、映像信号線駆動回路３００の出力端子ＴＳｊ（ｊ＝１，２，３，…）にそれぞれ対応している。
【００３９】
各切換スイッチＳＷｊは、その切換スイッチＳＷｊに対応する映像信号線駆動回路３００の出力端子ＴＳｊを、その出力端子ＴＳｊに対応する３本の映像信号線Ｌｊｒ，Ｌｊｇ，Ｌｊｂのいずれかに接続し、かつ、出力端子ＴＳｊに接続される映像信号線をこれら３本の映像信号線Ｌｊｒ，Ｌｊｇ，Ｌｊｂの間で順次切り換える（ｊ＝１，２，３，…）。すなわち、各切換スイッチＳＷｊには、表示制御回路２００から切換制御信号Ｇｒ，Ｇｇ，Ｇｂが入力され、各切換スイッチＳＷｊは、各水平走査期間のうち第１の切換制御信号ＧｒがＨレベルとなる第１の期間には、Ｒ画素形成部に接続される映像信号線であるＲ映像信号線Ｌｊｒに出力端子ＴＳｊを接続し、第２の切換制御信号ＧｇがＨレベルとなる第２の期間には、Ｇ画素形成部に接続される映像信号線であるＧ映像信号線Ｌｊｇに出力端子ＴＳｊを接続し、第３の切換制御信号ＧｂがＨレベルとなる第３の期間には、Ｂ画素形成部に接続される映像信号線であるＢ映像信号線Ｌｊｂに出力端子ＴＳｊを接続する。このような切換スイッチＳＷｊは、例えば液晶パネル基板に形成された薄膜トランジスタ（ＴＦＴ）により実現され、図２（ｃ）に示すように、３個のアナログスイッチとしてのＴＦＴがそれぞれ第１、第２および第３の切換制御信号Ｇｒ，Ｇｇ，Ｇｂによってオン／オフされるように構成される。以上のような切換スイッチＳＷ１，ＳＷ２，ＳＷ３，…を含む接続切換回路５０１により、映像信号線駆動回路３００における各出力端子ＴＳｊは、それに対応する映像信号線群内の３本の映像信号線Ｌｊｒ，Ｌｊｇ，Ｌｊｂに時分割的に接続される。
【００４０】
＜１．４  信号線駆動回路＞
図３は、本実施形態に係る映像信号線駆動回路３００の構成を示すブロック図である。以下、この図を参照しつつ映像信号線駆動回路３００の詳細について説明する。なお、一般に液晶表示装置では、液晶の劣化を抑えると共に表示品位を維持するために交流化駆動が行われるが、交流化駆動に関する構成および動作は本発明に直接には関係しないので、その説明を省略する。
【００４１】
本実施形態に係る映像信号線駆動回路３００は、出力端子ＴＳｊ（ｊ＝１，２，３，…）の数に等しい段数のシフトレジスタ３１と、それぞれ６ビットからなり出力端子ＴＳ１，ＴＳ２，ＴＳ３，…にそれぞれ対応するデジタル画像信号ｄ１，ｄ２，ｄ３，…を出力するサンプリング・ラッチ回路３２と、各出力端子ＴＳｊに対応する選択回路３３ｊからなる階調電圧選択部３３と、各出力端子ＴＳｊから出力すべき駆動用映像信号Ｓｊを生成する出力回路３４と、６４の階調レベルにそれぞれ対応する電圧からなる階調電圧群Ｖ０〜Ｖ６３を出力する階調電圧発生回路３６とを備えている。
【００４２】
上記構成の映像信号線駆動回路３００において、シフトレジスタ３１には、スタートパルス信号ＳＰとクロック信号ＣＫとが入力され、このシフトレジスタ３１は、これらの信号ＳＰ，ＣＫに基づき、各水平走査期間における第１、第２および第３の期間のそれぞれにおいて、スタートパルス信号ＳＰに含まれる１つのパルスを入力端から出力端へと順次転送する。この転送に応じて、サンプリング・ラッチ回路３２には、サンプリングパルスが順次入力される。
【００４３】
サンプリング・ラッチ回路３２は、表示制御回路２００からのデジタル画像信号Ｄａを、これらのサンプリングパルスのタイミングでサンプリングして保持し、さらに、ラッチストローブ信号ＬＳでラッチして１／３水平走査期間ずつ保持する。ここで保持されるデジタル画像信号Ｄａは、各６ビットの内部画像信号ｄ１，ｄ２，ｄ３，…としてサンプリング・ラッチ回路３２から出力される。これらの内部画像信号ｄ１，ｄ２，ｄ３，…は、階調電圧選択部３３内の選択回路３３１，３３２，３３３，…にそれぞれ入力される。既述のように、表示制御回路２００から入力されるデジタル画像信号Ｄａは、切換制御信号Ｇｒ，Ｇｇ，Ｇｂに同期して１／３水平走査期間毎に赤色画像信号Ｄｒと緑色画像信号Ｄｇと青色画像信号Ｄｂとの間で切り換わる信号である。この切り換わりに応じて、上記内部画像信号ｄ１，ｄ２，ｄ３，…の値は、第１の期間では、赤色画像信号Ｄｒによって示される画素値であるＲ画素値に相当し、第２の期間では、緑色画像信号Ｄｇによって示される画素値であるＧ画素値に相当し、第３の期間では、青色画像信号Ｄｂによって示される画素値であるＢ画素値に相当することになる。
【００４４】
階調電圧発生回路３６は、所定の電源回路（不図示）から与えられる２種類の基準電圧ＶＨおよびＶＬに基づき、６ビットのデジタル画像信号Ｄａによって表現され得る６４の階調レベルにそれぞれ対応する６４個の電圧Ｖ０〜Ｖ６３を生成し、これらを階調電圧群Ｖ０〜Ｖ６３として出力する。このとき、上記の切換制御信号Ｇｒ，Ｇｇ，Ｇｂに基づき、映像信号線Ｌｓの駆動期間の切換に連動して、この階調電圧群を構成する各電圧Ｖ０〜Ｖ６３が若干変更される（詳細は後述）。階調電圧選択部３３には、全ての選択回路３３１，３３２，３３３，…を貫通する６４本の電圧バスラインが設けられており、上記階調電圧群Ｖ０〜Ｖ６３を構成する６４個の電圧は、それら６４本の電圧バスラインにそれぞれ印加されて各選択回路３３１，３３２，３３３，…に伝達される。
【００４５】
各選択回路３３ｊ（ｊ＝１，２，３，…）は、それに入力される内部画像信号ｄｊに基づき、６４本の電圧バスラインによって伝達される階調電圧群Ｖ０〜Ｖ６４のうちいずれかの電圧ＶＳを選択する（Ｓは０≦Ｓ≦６３なる整数）。上述のように内部画像信号ｄｊの値は、各水平走査期間のうち第１の期間ではＲ画素値に、第２の期間ではＧ画素値に、第３の期間ではＢ画素値にそれぞれ相当する。したがって、各選択回路３３ｊは、第１の期間ではＲ（赤）の階調を示す赤色画像信号Ｄｒに応じて、第２の期間ではＧ（緑）の階調を示す緑色画像信号Ｄｇに応じて、第３の期間ではＢ（青）の階調を示す青色画像信号Ｄｂに応じて、階調電圧群Ｖ０〜Ｖ６４の中から電圧ＶＳを選択することになる。このようにして各選択回路３３ｊで選択された電圧ＶＳは出力回路３４に入力される。
【００４６】
出力回路３４は、各選択回路３３ｊから入力された電圧を例えば電圧ホロアによってインピーダンス変換を行い、変換後の電圧を駆動用映像信号Ｓｊとして出力端子ＴＳｊから出力する。出力された各駆動用映像信号Ｓｊは、既述のように、液晶パネル５００における各切換スイッチＳＷｊに入力され、各切換スイッチＳＷｊを介して映像信号線Ｌｊｒ，Ｌｊｇ，Ｌｊｂのいずれかに印加される。
【００４７】
＜１．５  駆動方法＞
次に、図２（ａ）および図４を参照しつつ、上記構成の液晶パネル５００および映像信号線駆動回路３００を備えた液晶表示装置の駆動方法について説明する。
【００４８】
図２（ａ）に示される各画素形成部Ｐｘに付された“ｒｉｊ”，“ｇｉｊ”，“ｂｉｊ”は、画素形成マトリクスにおける第ｉ行第ｊ列の画素形成部に書き込むべき画素値（画素容量Ｃｐにて保持すべき電圧値）を表しており、“ｒｉｊ”は赤色画像信号Ｄｒの値に、“ｇｉｊ”は緑色画像信号Ｄｇの値に、“ｂｉｊ”は青色画像信号Ｄｂの値に、それぞれ相当する。したがって、“ｒｉｊ”の付された画素形成部はＲ画素形成部であり、“ｇｉｊ”の付された画素形成部はＧ画素形成部であり、“ｂｉｊ”の付された画素形成部はＢ画素形成部である。
【００４９】
図４は、上記構成の液晶パネル５００および映像信号線駆動回路３００を備えた液晶表示装置の駆動方法を説明するためのタイミングチャートである。図４（ａ）〜（ｃ）に示すように、液晶パネル５００における走査信号線Ｌｇには、１水平走査期間（１走査線選択期間）ずつ順次Ｈレベルとなる走査信号Ｇ１，Ｇ２，Ｇ３，…がそれぞれ印加される。各走査信号線Ｌｇは、このような走査信号Ｇ１，Ｇ２，Ｇ３，…によりＨレベルが印加されると選択状態（アクティブ）となり、その選択状態の走査信号線Ｌｇに接続される画素形成部ＰｘのＴＦＴ１０はオン状態となる。一方、Ｌレベルが印加されると各走査信号線Ｌｇは非選択状態（非アクティブ）となり、その非選択状態の走査信号線Ｌｇに接続される画素形成部ＰｘのＴＦＴ１０はオフ状態となる。
【００５０】
図４（ｅ）に示すように第１の切換制御信号Ｇｒは、各水平走査期間（各走査信号Ｇｉ（ｉ＝１，２，３，…）がＨレベルとなる期間）の最初の１／３の期間である第１の期間でＨレベルとなり、この第１の期間では図４（ｈ）〜（ｊ）に示すように、赤色画像信号Ｄｒに相当する電圧信号（ｒｉｊ）が駆動用映像信号Ｓｊとして映像信号線駆動回路の各出力端子ＴＳｊから出力される（ｊ＝１，２，３，…）。また、図４（ｆ）に示すように第２の切換制御信号Ｇｇは、各水平走査期間の次の１／３の期間である第２の期間でＨレベルとなり、この第２の期間では図４（ｈ）〜（ｊ）に示すように、緑色画像信号Ｄｇに相当する電圧信号（ｇｉｊ）が駆動用映像信号Ｓｊとして映像信号線駆動回路の各出力端子ＴＳｊから出力される。そして、図４（ｇ）に示すように第３の切換制御信号Ｇｂは、各水平走査期間の最後の１／３の期間である第３の期間でＨレベルとなり、この第３の期間では図４（ｈ）〜（ｊ）に示すように、青色画像信号Ｄｂに相当する電圧信号（ｂｉｊ）が駆動用映像信号Ｓｊとして映像信号線駆動回路の各出力端子ＴＳｊから出力される。
【００５１】
各切換スイッチＳＷｊ（ｊ＝１，２，３，…）は、既述のように、映像信号線駆動回路の各出力端子ＴＳｊを、各水平走査期間のうち第１の期間ではＲ映像信号線Ｌｊｒに、第２の期間ではＧ映像信号線Ｌｊｇに、第３の期間ではＧ映像信号線Ｌｊｇに、それぞれ接続する。これにより、液晶パネル５００における映像信号線Ｌｓ（Ｌｊｒ、Ｌｊｇ、Ｌｊｂ）は時分割的に駆動される。
【００５２】
一方、階調電圧発生回路３６では、第１、第２および第３の切換制御信号Ｇｒ，Ｇｇ，Ｇｂに応じて、階調電圧群を構成する各電圧Ｖ０〜Ｖ６３が変更される。図９に示したようにＲ（赤）、Ｇ（緑）、Ｂ（青）の３色の間で階調レベル−輝度特性（階調再現性）が若干異なっていることから、階調電圧群を構成する各電圧Ｖ０〜Ｖ６３を従来のように固定値とした場合、輝度の全範囲に亘ってカラーバランスを良好に保つことができず、カラー画像表示において高い色再現性を得ることができない。そこで本実施形態では、これら３色のそれぞれでの階調再現性の相違に応じて、階調電圧群における各電圧Ｖ０〜Ｖ６３を第１、第２および第３の期間の間で切り換えることにより、同一の階調レベル（画像信号Ｄｒ，Ｄｇ，Ｄｂの同一の値）に対してはＲ画素形成部かＧ画素形成部かＢ画素形成部かに拘わらず同一の輝度が得られるようにする。すなわち、Ｒ、Ｇ、Ｂに対して予め３つの階調電圧群がＶ０ｒ〜Ｖ６３ｒ，Ｖ０ｇ〜Ｖ６３ｇ，Ｖ０ｂ〜Ｖ６３ｂがそれぞれ設定されており、図４（ｋ）に示すように、各水平走査期間のうち第１の期間ではＲ画素形成部での階調再現性に応じた階調電圧群Ｖ０ｒ〜Ｖ６３ｒが、第２の期間ではＧ画素形成部での階調再現性に応じた階調電圧群Ｖ０ｇ〜Ｖ６３ｇが、第３の期間ではＢ画素形成部での階調再現性に応じた階調電圧群Ｖ０ｂ〜Ｖ６３ｂが、階調電圧群Ｖ０〜Ｖ６３として出力されるように、階調電圧発生回路３６が構成されている（詳細は後述）。
【００５３】
上記のような各部の動作により、各水平走査期間における第１の期間では、Ｒ（赤）に対して設定された階調電圧群Ｖ０ｒ〜Ｖ６３ｒの中から赤色画像信号Ｄｒに応じて出力端子ＴＳｊ毎に選択された電圧が、駆動用映像信号Ｓｊとして出力され、液晶パネル５００における切換スイッチＳＷｊおよびＲ映像信号線Ｌｊｒを介してＲ画素形成部に供給される。また、各水平走査期間における第２の期間では、Ｇ（緑）に対して設定された階調電圧群Ｖ０ｇ〜Ｖ６３ｇの中から緑色画像信号Ｄｇに応じて出力端子ＴＳｊ毎に選択された電圧が、駆動用映像信号Ｓｊとして出力され、切換スイッチＳＷｊおよびＧ映像信号線Ｌｊｇを介してＧ画素形成部に供給される。そして、各水平走査期間における第３の期間では、Ｂ（青）に対して設定された階調電圧群Ｖ０ｂ〜Ｖ６３ｂの中から青色画像信号Ｄｂに応じて出力端子ＴＳｊ毎に選択された電圧が、駆動用映像信号Ｓｊとして出力され、切換スイッチＳＷｊおよびＢ映像信号線Ｌｊｂを介してＢ画素形成部に供給される。このようにして、各画素形成部には、それがＲ画素形成部かＧ画素形成部かＢ画素形成部かに応じて異なる階調電圧群から選択された電圧が駆動用映像信号として供給されるので、液晶パネル５００では、色再現性の高いカラー画像表示が可能となる。
【００５４】
＜１．６  階調電圧発生回路の構成＞
以下、上記のような本実施形態における階調電圧発生回路３６の構成について説明する。
【００５５】
＜１．６．１  第１の構成例＞
図５は、本実施形態における階調電圧発生回路３６の第１の構成例を示す回路図である。この構成例では、階調電圧発生回路３６は、第１、第２および第３の分圧回路３６ｒ，３６ｇ，３６ｂと、６４個のセレクタＳＥＬ０〜ＳＥＬ６３からなるセレクタ回路とを備えており、各分圧回路３６ｒ，３６ｇ，３６ｂの一端には第１の基準電圧ＶＨが、他端には第２の基準電圧ＶＬが、それぞれ外部から与えられる。各分圧回路３６ｒ，３６ｇ，３６ｂは、複数個の抵抗を直列に接続した抵抗列からなり、第１の分圧回路３６ｒはＲ（赤）に対して予め設定された階調電圧群Ｖ０ｒ〜Ｖ６３ｒを、第２の分圧回路３６ｇはＧ（緑）に対して予め設定された階調電圧群Ｖ０ｇ〜Ｖ６３ｇを、第３の分圧回路はＢ（青）に対して予め設定された階調電圧群Ｖ０ｂ〜Ｖ６３ｂを、それぞれ生成する。各セレクタＳＥＬｋ（ｋ＝０〜６３）には、３つの階調電圧群Ｖ０ｒ〜Ｖ６３ｒ，Ｖ０ｇ〜Ｖ６３ｇ，Ｖ０ｂ〜Ｖ６３ｂにおいて同一の階調レベルに相当する３つの電圧Ｖｋｒ，Ｖｋｇ，Ｖｋｂと、切換制御信号Ｇｒ，Ｇｇ，Ｇｂとが入力され、各セレクタＳＥＬｋは、第１の切換制御信号ＧｒがＨレベルのときにＶｋｒを、第２の切換制御信号ＧｇがＨレベルのときにＶｋｇを、第３の切換制御信号ＧｂがＨレベルのときにＶｋｂを、それぞれ選択する。このようにして６４個のセレクタＳＥＬ０〜ＳＥＬ６３によって選択された６４個の電圧は、階調電圧群Ｖ０〜Ｖ６３として階調電圧発生回路３６から出力され、各選択回路３３１，３３２，３３３，…を貫通する６４本の電圧バスラインにそれぞれ印加される。
【００５６】
このような構成によれば、切換制御信号Ｇｒ，Ｇｇ，Ｇｂに基づく第１の期間と第２の期間と第３の期間の間での切り換え、すなわち駆動期間の切り換えに連動して、出力される階調電圧群Ｖ０〜Ｖ６３を構成する電圧が切り換えられる。これにより、図４（ｋ）に示すように、Ｒ映像信号線Ｌｊｒが駆動される第１の期間では、Ｒ画素形成部の階調再現性に応じた階調電圧群Ｖ０ｒ〜Ｖ６３ｒが出力され、Ｇ映像信号線Ｌｊｇが駆動される第２の期間では、Ｇ画素形成部の階調再現性に応じた階調電圧群Ｖ０ｇ〜Ｖ６３ｇが出力され、Ｂ映像信号線Ｌｊｂが駆動される第３の期間では、Ｂ画素形成部の階調再現性に応じた階調電圧群Ｖ０ｂ〜Ｖ６３ｂが出力される。
【００５７】
＜１．６．２  第２の構成例＞
図６は、本実施形態における階調電圧発生回路３６の第２の構成例を示す回路図である。この構成例では、階調電圧発生回路３６は、６４個の電圧からなる階調電圧群Ｖ０〜Ｖ６３を生成するために複数個の抵抗を直列に接続した抵抗列からなる１つの分圧回路３６０と、この分圧回路３６０の一端側に接続された第１の可変抵抗回路３６１と、この分圧回路３６０の他端側に接続された第２の可変抵抗回路３６２とを備えている。
【００５８】
第１の可変抵抗回路３６１は、Ｒ（赤）に対して予め設定された抵抗値を有する抵抗器である第１のＲ調整抵抗Ｒｒ１と、Ｇ（緑）に対して予め設定された抵抗値を有する抵抗器である第１のＧ調整抵抗Ｒｇ１と、Ｂ（青）に対して予め設定された抵抗値を有する抵抗器である第１のＢ調整抵抗Ｒｂ１と、第１の調整抵抗切換スイッチＳＷＲ１とからなる。第１のＲ、Ｇ、Ｂ調整抵抗Ｒｒ１，Ｒｇ１，Ｒｂ１の一端は第１の基準電圧ＶＨの電源ラインに接続され、他端は第１の調整抵抗切換スイッチＳＷＲ１に接続されている。第１の調整抵抗切換スイッチＳＷＲ１は、分圧回路３６０の一端を第１のＲ調整抵抗Ｒｒ１、Ｇ調整抵抗Ｒｇ１、Ｂ調整抵抗Ｒｂ１のいずれかに接続し、かつ分圧回路３６０の一端が接続される抵抗を切換制御信号Ｇｒ，Ｇｇ，Ｇｂに応じて切り換える。すなわち、各水平走査期間のうち第１の期間には第１のＲ調整抵抗Ｒｒ１を、第２の期間には第１のＧ調整抵抗Ｒｇ１を、第３の期間には第１のＢ調整抵抗Ｒｂ１を、分圧回路３６０の一端に接続する。
【００５９】
第２の可変抵抗回路３６２は、Ｒ（赤）に対して予め設定された抵抗値を有する抵抗器である第２のＲ調整抵抗Ｒｒ２と、Ｇ（緑）に対して予め設定された抵抗値を有する抵抗器である第２のＧ調整抵抗Ｒｇ２と、Ｂ（青）に対して予め設定された抵抗値を有する抵抗器である第２のＢ調整抵抗Ｒｂ２と、第２の調整抵抗切換スイッチＳＷＲ２とからなる。第２のＲ、Ｇ、Ｂ調整抵抗Ｒｒ２，Ｒｇ２，Ｒｂ２の一端は第２の基準電圧ＶＬの電源ラインに接続され、他端は第２の調整抵抗切換スイッチＳＷＲ２に接続されている。第２の調整抵抗切換スイッチＳＷＲ２は、分圧回路３６０の他端を第２のＲ調整抵抗Ｒｒ２、Ｇ調整抵抗Ｒｇ２、Ｂ調整抵抗Ｒｂ２のいずれかに接続し、かつ分圧回路３６０の他端が接続される抵抗を切換制御信号Ｇｒ，Ｇｇ，Ｇｂに応じて切り換える。すなわち、各水平走査期間のうち第１の期間には第２のＲ調整抵抗Ｒｒ２を、第２の期間には第２のＧ調整抵抗Ｒｇ２を、第３の期間には第２のＢ調整抵抗Ｒｂ２を、分圧回路３６０の他端に接続する。
【００６０】
このような構成によれば、切換制御信号Ｇｒ，Ｇｇ，Ｇｂに基づく第１の期間と第２の期間と第３の期間の間での切り換えに連動して、第１の可変抵抗回路３６１の両端間の抵抗値が第１のＲ、ＧおよびＢ調整抵抗Ｒｒ１，Ｒｇ１，Ｒｂ１の抵抗値の間で切り換えられると共に、第２の可変抵抗回路３６２の両端間の抵抗値が第２のＲ、ＧおよびＢ調整抵抗Ｒｒ２，Ｒｇ２，Ｒｂ２の抵抗値の間で切り換えられる。したがって、第１のＲ、ＧおよびＢ調整抵抗Ｒｒ１，Ｒｇ１，Ｒｂ１の抵抗値と第２のＲ、ＧおよびＢ調整抵抗Ｒｒ２，Ｒｇ２，Ｒｂ２の抵抗値とを適切に設定することにより、Ｒ映像信号線Ｌｊｒが駆動される第１の期間ではＲ画素形成部の階調再現性に応じた６４個の電圧Ｖ０ｒ〜Ｖ６３ｒが、Ｇ映像信号線Ｌｊｇが駆動される第２の期間ではＧ画素形成部の階調再現性に応じた６４個の電圧Ｖ０ｇ〜Ｖ６３ｇが、Ｂ映像信号線Ｌｊｂが駆動される第３の期間ではＢ画素形成部の階調再現性に応じた６４個の電圧Ｖ０ｂ〜Ｖ６３ｂが、階調電圧群Ｖ０〜Ｖ６３として出力されるようになる。また、本構成例によれば、使用される分圧回路は１つだけであるので、図５に示した第１の構成例に比べ、階調電圧発生回路の回路規模が小さくなる。
【００６１】
なお、本構成例における第１および第２の可変抵抗回路３６１，３６２は、図６に示した構成には限定されず、切換制御信号Ｇｒ，Ｇｇ，Ｇｂに応じて抵抗値が切り換わる可変抵抗として動作するように構成されていればよい。
【００６２】
＜１．６．３  他の構成例＞
上記第１および第２の構成例では、出力される階調電圧群を構成する各電圧Ｖ０〜Ｖ６３は、切換制御信号Ｇｒ，Ｇｇ，Ｇｂに基づき、第１の期間か第２の期間か第３の期間かに応じて変化するが、出力される階調電圧群を構成する電圧Ｖ０〜Ｖ６３のうち一部の電圧のみを切換制御信号Ｇｒ，Ｇｇ，Ｇｂに基づき変化させるようにしてもよい。例えば図７に示すように、階調電圧発生回路３６から出力すべき階調電圧群Ｖ０〜Ｖ６３のうち１つの階調レベルに対応する電圧Ｖ０のみを、切換制御信号Ｇｒ，Ｇｇ，Ｇｂに基づきセレクタＳＥＬ０において３つの電圧Ｖ０ｒ，Ｖ０ｇ，Ｖ０ｂの間で切り換えるような構成であってもよい。
【００６３】
また、上記第１および第２の構成例では、出力すべき階調電圧群を構成する電圧Ｖ０〜Ｖ６３の生成に使用される抵抗または抵抗列（分圧回路）を切り換えることにより、それらの電圧Ｖ０〜Ｖ６３が切換制御信号Ｇｒ，Ｇｇ，Ｇｂに応じて変更されるが、このような構成に代えて又はこのような構成と共に、分圧回路における所定位置に外部から所定の電圧を印加するための回路を設け、当該電圧の印加を切換制御信号Ｇｒ，Ｇｇ，Ｇｂに基づき制御することで、階調電圧発生回路３６から出力される階調電圧群を構成する電圧Ｖ０〜Ｖ６３を変化させるようにしてもよい。例えば図８に示すように、電圧切換スイッチＳＷＶを設け、この電圧切換スイッチＳＷＶに２つの電圧Ｖｔ１，Ｖｔ２を外部から供給すると共に、分圧回路３６０の所定位置と電圧切換スイッチＳＷＶとを接続する。そして、この電圧切換スイッチＳＷＶは、切換制御信号Ｇｒ，Ｇｇ，Ｇｂに基づき、分圧回路３６０の上記所定位置に対し、各水平走査期間のうち第１の期間では電圧Ｖｔ１を印加し、第３の期間では電圧Ｖｔ２を印加し、第２の期間では電圧Ｖｔ１，Ｖｔ２のいずれも印加しないように、電圧Ｖｔ１，Ｖｔ２のそれぞれの電源ラインと分圧回路３６０の上記所定位置との接続を切り換える構成とすればよい。また、このように分圧回路の所定位置への電圧印加を制御する構成と第１または第２の構成例のように抵抗または抵抗列を切り換える構成とを組み合わせた構成の回路として、階調電圧発生回路３６を実現してもよい。
【００６４】
さらに、階調電圧発生回路３６の構成は図５〜図８に示した上記構成例やその組み合わせに限定されるものではなく、Ｒ映像信号線Ｌｊｒが駆動される第１の期間、Ｇ映像信号線Ｌｊｇが駆動される第２の期間、Ｂ映像信号線Ｌｊｂが駆動される第３の期間のそれぞれに適した階調電圧群が出力されるように、出力すべき階調電圧群を構成する電圧Ｖ０〜Ｖ６３の一部または全部が切換制御信号Ｇｒ，Ｇｇ，Ｇｂに応じて変更される構成であればよい。そして具体的な構成を如何なるものとすべきかは、例えば、出力すべき階調電圧群を構成する電圧の変更の自由度と階調電圧発生回路の回路規模などを勘案して決定すればよい。
【００６５】
＜１．７  効果＞
上記のような本実施形態では、切換制御信号Ｇｒ，Ｇｇ，Ｇｂに基づき映像信号線が時分割で駆動されることで、各水平走査期間は、Ｒ映像信号線Ｌｊｒが駆動されてＲ画素形成部に画素値が書き込まれる第１の期間と、Ｇ映像信号線Ｌｊｇが駆動されてＧ画素形成部に画素値が書き込まれる第２の期間と、Ｂ映像信号線Ｌｊｂが駆動されてＢ画素形成部に画素値が書き込まれる第３の期間とに分割されている。そして、このことを利用して、階調電圧発生回路３６から出力される階調電圧群を構成する電圧Ｖ０〜Ｖ６３（の少なくとも一部）が、切換制御信号Ｇｒ，Ｇｇ，Ｇｂに基づき変更されることで、階調電圧群の伝達のための電圧バスラインを増やすことなく、Ｒ画素形成部とＧ画素形成部とＢ画素形成部のそれぞれの階調再現性に応じた階調電圧群が各選択回路３３ｊ（ｊ＝１，２，３，…）に供給され、その階調電圧群を使用して駆動用映像信号Ｓｊが生成される。このようにして液晶パネル５００では、ＲＧＢの３色の間の階調再現性の相違に応じて補正された階調電圧群に基づきカラー画像が表示される。したがって、本実施形態によれば、階調電圧群の伝達のための電圧バスラインの増設による映像信号線駆動回路用ＩＣのチップ面積の増大を回避しつつ、色再現性の高いカラー画像表示が可能となる。
【００６６】
＜２．他の実施形態および変形例＞
上記実施形態では、各水平走査期間が第１、第２および第３の期間に分割され、液晶パネル５００におけるＲ画素形成部に接続されるＲ映像信号線Ｌｊｒと、Ｇ画素形成部に接続されるＧ映像信号線Ｌｊｇと、Ｂ画素形成部に接続されるＢ映像信号線Ｌｊｂとが、切換制御信号Ｇｒ，Ｇｇ，Ｇｂに基づき時分割的に駆動される。しかし、本発明はこのような表示装置の駆動回路に限定されるものではなく、３原色を構成する第１、第２および第３の色の階調を示す３種類の画像信号に基づきカラー画像を表示する表示装置の駆動回路であって、それら３種類の画像信号に基づく駆動用信号の出力が時間的に分離されている駆動回路、すなわち、第１の色の階調を示す画像信号に基づく駆動信号が出力される期間と、第２の色の階調を示す画像信号に基づく駆動信号が出力される期間と、第３の色の階調を示す画像信号に基づく駆動信号が出力される期間とが分離されている駆動回路については、本発明を適用することができる。例えばシーケンシャルカラー照明方式による液晶表示装置、すなわち、各フレームをＲサブフレームとＧサブフレームとＢサブフレームという３つのサブフレーム期間に分割し、Ｒサブフレームでは赤色の階調を示す画像信号に基づく駆動用信号が、Ｇサブフレームでは緑色の階調を示す画像信号に基づく駆動用信号が、Ｂサブフレームでは青色の階調を示す画像信号に基づく駆動用信号が、それぞれ出力されるような方式の液晶表示装置の駆動回路に対しても、本発明を適用することができる。この場合には、階調電圧群を構成する電圧の一部または全部を、ＲサブフレームではＲ（赤）の色階調現性に応じて変更し、ＧサブフレームではＧ（緑）の色階調現性に応じて変更し、ＢサブフレームではＢ（青）の色階調現性に応じて変更する構成とすれば、上記実施形態と同様の効果が得られる。
【００６７】
なお、上記実施形態では、映像信号線の時分割駆動のための切換スイッチＳＷｊ（ｊ＝１，２，…）からなる接続切換回路５０１は液晶パネル５００内に形成されているが、これに代えて、例えば映像信号線駆動回路３００を実現するＩＣチップ内に、切換スイッチＳＷｊ（ｊ＝１，２，…）からなる接続切換回路５０１が設けられていてもよい。
【００６８】
また、上記実施形態では、カラー画像表示のための３原色が赤（Ｒ）と緑（Ｇ）と青（Ｂ）からなるものとしているが、カラー画像表示のために必要な範囲の色彩が得られる３原色であれば、他の３つの色を３原色として選定してもよい。
【００６９】
【発明の効果】
第１の発明によれば、階調電圧群を複数の選択回路に伝達するための電圧バスラインを増やすことなく、３原色のそれぞれの階調再現性に応じた階調電圧が使用されるので、駆動回路を実現するためのＩＣのチップ面積の増大を抑えつつ、色再現性の高いカラー画像表示が可能となる。
【００７０】
第２の発明によれば、階調電圧発生回路において第１〜第３の色にそれぞれ対応する第１〜第３の分圧回路によって生成される３つの電圧群の間で階調電圧群が切り換えられることで、階調電圧群を伝達するための電圧バスラインを増やすことなく、３原色のそれぞれの階調再現性に応じた階調電圧を使用してカラー画像を表示することができる。
【００７１】
第３の発明によれば、階調電圧発生回路において階調電圧群を生成するための分圧回路の両端にそれぞれ接続される第１および第２の可変抵抗回路の抵抗値が切り換えられることで、階調電圧群を複数の選択回路に伝達するための電圧バスラインを増やすことなく、３原色のそれぞれの階調再現性に応じた階調電圧を使用してカラー画像を表示することができる。また、この第３の発明では、使用される分圧回路は１つだけであるので、第２の発明に比べ、階調電圧発生回路の回路規模が小さくなる。
【００７２】
第４の発明によれば、第１から第３の発明のいずれかと同様の効果を奏する。
【００７３】
第５の発明によれば、映像信号線の時分割駆動のための駆動期間の切換に連動して階調電圧群における電圧が変更される。これにより、階調電圧群を伝達するための電圧バスラインを増やすことなく、３原色のそれぞれの階調再現性に応じた階調電圧を使用してカラー画像を表示できるという効果に加え、出力回路の出力端子と映像信号線との接続ピッチを大きくしたり、映像信号線の駆動回路のＩＣチップの個数を減らしたりできるという効果（映像信号線の時分割駆動による効果）が得られる。
【００７４】
第６の発明によれば、各水平走査期間内（各走査信号線の選択期間内）で映像信号線が時分割で駆動され、各水平走査期間内での駆動期間の切換に連動して階調電圧群における電圧が変更されることで、階調電圧群を伝達するための電圧バスラインを増やすことなく、３原色のそれぞれの階調再現性に応じた階調電圧を使用してカラー画像を表示することができる。
【００７５】
第７の発明によれば、第１の発明と同様の効果を奏する。
【図面の簡単な説明】
【図１】本発明の一実施形態に係る映像信号線駆動回路を備える液晶表示装置の構成を示すブロック図である。
【図２】上記実施形態に係る映像信号線駆動回路を備える液晶表示装置における液晶パネルの構成を示す模式図（ａ）ならびに等価回路図（ｂ）および（ｃ）である。
【図３】上記実施形態に係る映像信号線駆動回路の構成を示すブロック図である。
【図４】上記実施形態に係る映像信号線駆動回路を備えた液晶表示装置の駆動方法を説明するためのタイミングチャートである。
【図５】上記実施形態における階調電圧発生回路の第１の構成例を示す回路図である。
【図６】上記実施形態における階調電圧発生回路の第２の構成例を示す回路図である。
【図７】上記実施形態における階調電圧発生回路の他の構成例を示す回路図である。
【図８】上記実施形態における階調電圧発生回路の更に他の構成例を示す回路図である。
【図９】３原色（ＲＧＢ）のそれぞれについて階調レベル−輝度特性を示す特性図である。
【符号の説明】
１０      …ＴＦＴ（薄膜トランジスタ）
２５      …信号線切換制御回路
３３      …階調電圧選択部
３３ｊ    …選択回路（ｊ＝１，２，３，…）
３４      …出力回路
３６      …階調電圧発生回路
３６ｒ    …第１の分圧回路
３６ｇ    …第２の分圧回路
３６ｂ    …第３の分圧回路
３６０    …分圧回路
３６１    …第１の可変抵抗回路
３６２    …第２の可変抵抗回路
２００    …表示制御回路
３００    …映像信号線駆動回路
４００    …走査信号線駆動回路
５００    …液晶パネル
５０１    …接続切換回路
ＣＫ      …クロック信号
ＬＳ      …ラッチストローブ信号
ＨＳＹ    …水平同期信号
ＶＳＹ    …垂直同期信号
Ｄａ      …デジタル画像信号
Ｇｉ      …走査信号（ｉ＝１，２，３，…）
Ｓｊ      …映像信号（ｊ＝１，２，３，…）
Ｌｓ      …映像信号線（列電極）
Ｌｊｒ    …Ｒ映像信号線（ｊ＝１，２，３，…）
Ｌｊｇ    …Ｇ映像信号線（ｊ＝１，２，３，…）
Ｌｊｂ    …Ｂ映像信号線（ｊ＝１，２，３，…）
Ｌｇ      …走査信号線（行電極）
Ｐｘ      …画素形成部（画素）
Ｃｐ      …画素容量
Ｅｐ      …画素電極
Ｅｃ      …共通電極
ＳＷｊ    …切換スイッチ（ｊ＝１，２，３，…）
Ｇｒ，Ｇｇ，Ｇｂ    …切換制御信号
Ｒｒ１，Ｒｒ２      …Ｒ調整抵抗
Ｒｇ１，Ｒｇ２      …Ｇ調整抵抗
Ｒｂ１，Ｒｂ２      …Ｂ調整抵抗
ＳＷＲ１，ＳＷＲ２  …調整抵抗切換スイッチ
Ｖ０〜Ｖ６４        …階調電圧
ＳＥＬ０〜ＳＥＬ６３…セレクタ
ＶＨ，ＶＬ          …（階調電圧生成のための）基準電圧
【図１】
2004325716.tif 000003
【図２】
2004325716.tif 000004
【図３】
2004325716.tif 000005
【図４】
2004325716.tif 000006
【図５】
2004325716.tif 000007
【図６】
2004325716.tif 000008
【図７】
2004325716.tif 000009
【図８】
2004325716.tif 000010
【図９】
2004325716.tif 000011